【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
表示画面に絵柄を変動表示する絵柄表示装置と、
作動条件成立を検出する作動検出手段と、
前記作動条件成立に基づいて、遊技者に有利な特別遊技状態を発生させるか否かの抽選を行う抽選手段と、
前記作動条件成立に基づいて、１の識別情報を記憶保持する記憶保持手段と、
前記１の識別情報を判別する識別情報判別手段と、
前記抽選手段の抽選結果に基づいて前記絵柄の変動表示を行うと共に、前記抽選手段の抽選結果が当選の場合には、前記絵柄を前記識別情報判別手段の判別結果と対応する特定絵柄の組合せで停止するよう前記絵柄表示装置を表示制御する表示制御手段と、
前記抽選手段の抽選結果が当選であり、前記絵柄の変動表示が終了した場合に、遊技状態を前記特別遊技状態に移行させる特別遊技状態移行手段と、
前記特別遊技状態の終了後に、前記識別情報判別手段の判別結果が所定の判別結果であることを条件として、前記特別遊技状態と異なる特典が遊技者に付与される特典遊技状態に遊技状態を移行させる特典遊技状態移行手段と
を備え、
前記特別遊技状態又は特典遊技状態のうち少なくとも一方に複数種の特別遊技状態又は特典遊技状態を予め設定し、前記各遊技状態移行手段は、遊技状態を前記識別情報判別手段の判別結果と対応する遊技状態に移行させる遊技機において、
前記識別情報判別手段の判別結果に基づいて、移行させるべき特別遊技状態に関する特別遊技状態識別情報を設定する特別遊技状態設定手段と、
前記識別情報判別手段の判別結果が前記所定の判別結果である場合に、当該結果に基づいて、移行させるべき特典遊技状態に関する特典遊技状態識別情報を、前記特別遊技状態識別情報と別個に設定する特典遊技状態設定手段と、
前記特別遊技状態識別情報を判別する特別遊技状態判別手段と、
前記特典遊技状態識別情報を判別する特典遊技状態判別手段と
を備え、
前記特別遊技状態移行手段は、前記特別遊技状態判別手段の判別結果に基づいて対応する特別遊技状態に移行させ、
前記特典遊技状態移行手段は、前記特典遊技状態判別手段の判別結果に基づいて対応する特典遊技状態に移行させることを特徴とする遊技機。
【請求項２】
前記抽選手段の抽選結果が当選である場合、前記特別遊技状態設定手段は、前記抽選結果に基づく絵柄の変動表示が開始される際に前記特別遊技状態識別情報を設定し、前記特典遊技状態設定手段は、前記抽選結果に基づく絵柄の変動表示が開始される際に前記特典遊技状態識別情報を設定することを特徴とする請求項１に記載の遊技機。
【請求項３】
前記特別遊技状態判別手段は、前記特別遊技状態識別情報を正確に判別できなかった場合、予め設定された特別遊技状態のうち遊技者の有利度合いが最も小さな特別遊技状態が移行させるべき特別遊技状態であると判別することを特徴とする請求項１又は２に記載の遊技機。
【請求項４】
前記特典遊技状態判別手段は、前記特典遊技状態識別情報を正確に判別できなかった場合、前記特典遊技状態に移行させないと判別することを特徴とする請求項１乃至３のいずれか１項に記載の遊技機。
【請求項５】
表示画面に絵柄を変動表示する絵柄表示装置と、
作動条件成立を検出する作動検出手段と、
前記作動条件成立に基づいて、遊技者に有利な特別遊技状態を発生させるか否かの抽選を行う抽選手段と、
前記作動条件成立に基づいて、１の識別情報を記憶保持する記憶保持手段と、
前記１の識別情報を判別する識別情報判別手段と、
前記抽選手段の抽選結果に基づいて前記絵柄の変動表示を行うと共に、前記抽選手段の抽選結果が当選の場合には、前記絵柄を前記識別情報判別手段の判別結果と対応する特定絵柄の組合せで停止するよう前記絵柄表示装置を表示制御する表示制御手段と、
前記抽選手段の抽選結果が当選であり、前記絵柄の変動表示が終了した場合に、遊技状態を前記特別遊技状態に移行させる特別遊技状態移行手段と、
前記特別遊技状態の終了後に、前記特別遊技状態と異なる特典が遊技者に付与される特典遊技状態に遊技状態を移行させる特典遊技状態移行手段と
を備え、
前記特別遊技状態又は特典遊技状態のうち少なくとも一方に複数種の特別遊技状態又は特典遊技状態を予め設定し、前記各遊技状態移行手段は、遊技状態を前記識別情報判別手段の判別結果と対応する遊技状態に移行させる遊技機において、
前記識別情報判別手段の判別結果に基づいて、移行させるべき特別遊技状態に関する特別遊技状態識別情報を設定する特別遊技状態設定手段と、
前記識別情報判別手段の判別結果に基づいて、移行させるべき特典遊技状態に関する特典遊技状態識別情報を、前記特別遊技状態識別情報と別個に設定する特典遊技状態設定手段と、
前記特別遊技状態識別情報を判別する特別遊技状態判別手段と、
前記特典遊技状態識別情報を判別する特典遊技状態判別手段と
を備え、
前記特別遊技状態移行手段は、前記特別遊技状態判別手段の判別結果に基づいて対応する特別遊技状態に移行させ、
前記特典遊技状態移行手段は、前記特典遊技状態判別手段の判別結果に基づいて対応する特典遊技状態に移行させることを特徴とする遊技機。
【請求項６】
前記抽選手段の抽選結果が当選である場合、前記特別遊技状態設定手段は、前記抽選結果に基づく絵柄の変動表示が開始される際に前記特別遊技状態識別情報を設定し、前記特典遊技状態設定手段は、前記抽選結果に基づく絵柄の変動表示が開始される際に前記特典遊技状態識別情報を設定することを特徴とする請求項５に記載の遊技機。
【請求項７】
前記特別遊技状態判別手段は、前記特別遊技状態識別情報を正確に判別できなかった場合、予め設定された特別遊技状態のうち遊技者の有利度合いが最も小さな特別遊技状態が移行させるべき特別遊技状態であると判別することを特徴とする請求項５又は６に記載の遊技機。
【請求項８】
前記特典遊技状態判別手段は、前記特典遊技状態識別情報を正確に判別できなかった場合、予め設定された特典遊技状態のうち遊技者の有利度合いが最も小さな特典遊技状態が移行させるべき特典遊技状態であると判別することを特徴とする請求項５乃至７のいずれか１項に記載の遊技機。
【請求項９】
表示画面に絵柄を変動表示する絵柄表示装置と、
作動条件成立を検出する作動検出手段と、
前記作動条件成立に基づいて、遊技者に有利な特別遊技状態を発生させるか否かの抽選を行う抽選手段と、
前記作動条件成立に基づいて、１の識別情報を記憶保持する記憶保持手段と、
前記１の識別情報を判別する識別情報判別手段と、
前記抽選手段の抽選結果に基づいて前記絵柄の変動表示を行うと共に、前記抽選手段の抽選結果が当選の場合には、前記絵柄を前記識別情報判別手段の判別結果と対応する特定絵柄の組合せで停止するよう前記絵柄表示装置を表示制御する表示制御手段と、
前記抽選手段の抽選結果が当選であり、前記絵柄の変動表示が終了した場合に、遊技状態を前記特別遊技状態に移行させる特別遊技状態移行手段と、
前記特別遊技状態の終了後に、前記識別情報判別手段の判別結果が所定の判別結果であることを条件として、前記特別遊技状態と異なる特典が遊技者に付与される特典遊技状態に遊技状態を移行させる特典遊技状態移行手段と
を備え、
前記特別遊技状態として複数の特別遊技状態を予め設定し、前記各遊技状態移行手段は、遊技状態を前記識別情報判別手段の判別結果と対応する遊技状態に移行させる遊技機において、
前記識別情報判別手段の判別結果に基づいて、移行させるべき特別遊技状態に関する特別遊技状態識別情報を設定する特別遊技状態設定手段と、
前記識別情報判別手段の判別結果が前記所定の判別結果である場合に、特典遊技状態に関する特典遊技状態識別情報を前記特別遊技状態識別情報と別個に設定する特典遊技状態設定手段と、
前記特別遊技状態識別情報を判別する特別遊技状態判別手段と、
前記特典遊技状態識別情報が設定されているか否かを判別する特典遊技状態判別手段と
を備え、
前記特別遊技状態移行手段は、前記特別遊技状態判別手段の判別結果に基づいて対応する特別遊技状態に移行させ、
前記特典遊技状態移行手段は、前記特典遊技状態判別手段の判別結果が前記特典遊技状態識別情報が設定されているとの判別結果である場合に、前記特典遊技状態に移行させることを特徴とする遊技機。
【請求項１０】
前記抽選手段の抽選結果が当選である場合、前記特別遊技状態設定手段は、前記抽選結果に基づく絵柄の変動表示が開始される際に前記特別遊技状態識別情報を設定し、前記特典遊技状態設定手段は、前記抽選結果に基づく絵柄の変動表示が開始される際に前記特典遊技状態識別情報を設定することを特徴とする請求項９に記載の遊技機。
【請求項１１】
前記特別遊技状態判別手段は、前記特別遊技状態識別情報を正確に判別できなかった場合、予め設定された特別遊技状態のうち遊技者の有利度合いが最も小さな特別遊技状態が移行させるべき特別遊技状態であると判別することを特徴とする請求項９又は１０に記載の遊技機。
【請求項１２】
前記特典遊技状態判別手段は、前記特典遊技状態識別情報を正確に判別できなかった場合、前記特典遊技状態識別情報が設定されていないと判別することを特徴とする請求項９乃至１１のいずれか１項に記載の遊技機。
【請求項１３】
前記特別遊技状態設定手段は、前記特別遊技状態識別情報として予め定められた所定の数値情報を設定し、前記特別遊技状態判別手段は、前記特別遊技状態識別情報が予め定められた数値情報と一致するか否かを判別することを特徴とする請求項１乃至１２のいずれか１項に記載の遊技機。
【請求項１４】
前記特典遊技状態設定手段は、前記特典遊技状態識別情報として予め定められた所定の数値情報を設定し、前記特典遊技状態判別手段は、前記特典遊技状態識別情報が予め定められた数値情報と一致するか否かを判別することを特徴とする請求項１乃至１３のいずれか１項に記載の遊技機。